(57)【要約】【課題】プロジェクタからの映像を好適にスクリーンに投影可能な天吊式スクリーン装置を提供すること。【解決手段】本発明の一実施形態では、ケーシング内にて回転自在に設けられたスプリングロールと、収納時にスプリングロールに巻き戻しされ、使用時にスプリングロールから巻き出されるスクリーンとを備え、スプリングロールの端部に、巻き出されるスクリーンを所定位置に停止させるための停止手段が更に設けられており、および停止手段が、側面視で、スプリングロールの端部に回転可能に接続されたギア部、およびギア部の外周に沿って複数配置された突起部間に形成された溝部に係止可能な係止部を備えている、天吊式スクリーン装置が提供される。【選択図】図３
2018136424.tif 000002
【特許請求の範囲】
【請求項１】
天吊式スクリーン装置であって、
ケーシング内にて回転自在に設けられたスプリングロールと、収納時に前記スプリングロールに巻き戻しされ、使用時に前記スプリングロールから巻き出されるスクリーンと
を備え、
前記スプリングロールの端部に、巻き出される前記スクリーンを所定位置に停止させるための停止手段が更に設けられており、および
前記停止手段が、側面視で、前記スプリングロールの前記端部に回転可能に接続されたギア部、および該ギア部の外周に沿って複数配置された突起部間に形成された溝部に係止可能な係止部を備えている、天吊式スクリーン装置。
【請求項２】
前記ギア部の前記外周に沿って５０〜１００個の前記突起部が形成されている、請求項１に記載の天吊式スクリーン装置。
【請求項３】
前記溝部への前記係止部の係止を解除するためのハンドル部を更に備えている、請求項１又は２に記載の天吊式スクリーン装置。
【請求項４】
前記スクリーンの端部に供されたエンドバーを受容するためのエンドバー受容部、および前記係止部と接触可能と成っている旋回部を更に備えており、
前記エンドバー受容部および前記旋回部が一体構造を成している、請求項１〜３のいずれかに記載の天吊式スクリーン装置。
【請求項５】
前記旋回部が撓み部を備え、該撓み部が前記ケーシングの側部に配置された側方プレートの主面に供された突出部と接触可能と成っている、請求項４に記載の天吊式スクリーン装置。
【発明の詳細な説明】
【技術分野】
【０００１】
本発明は、スクリーン装置に関する。特に、本発明は、天吊式スクリーン装置に関する。
【背景技術】
【０００２】
従前より、天吊式スクリーン装置が用いられている。天吊式スクリーン装置は、プロジェクタと併用して一般的に用いられる。具体的には、天吊式スクリーン装置の構成要素であるスクリーンを一方向に引き下げ、当該スクリーンにプロジェクタからの映像を投影するという形態が採られる。当該天吊式スクリーン装置では、スクリーンを任意の位置に停止するための円筒カム機構がスクリーンロールの端部に供されている（特許文献１参照）。当該円筒カム機構は円筒表面に溝を備えており、当該溝は、スクリーンを任意の位置に停止するために作用する摺動ボールが係止可能な領域を備えている。
【先行技術文献】
【特許文献】
【０００３】
【特許文献１】特開２００４−３３３６０３号公報
【発明の概要】
【発明が解決しようとする課題】
【０００４】
ここで、本願発明者らは、天吊式スクリーン装置では以下の問題が生じることを見出した。
【０００５】
具体的には、本願発明者らは、スクリーンを略鉛直下方方向に巻き出す際、巻き出したスクリーンが一方向に（略鉛直下方方向に）全体として延在せずに、巻き出したスクリーンの局所部分が湾曲することを見出した。かかるスクリーンの局所部分の湾曲の発生は、プロジェクタから映像をスクリーンに全体として好適に投影できないことにつながる。
【０００６】
本発明は、かかる事情に鑑みて為されたものである。すなわち、本発明の目的は、プロジェクタからの映像を好適にスクリーンに投影可能な天吊式スクリーン装置を提供することである。
【課題を解決するための手段】
【０００７】
上記目的を達成するために、本発明の一実施形態では、天吊式スクリーン装置であって、
ケーシング内にて回転自在に設けられたスプリングロールと、収納時にスプリングロールに巻き戻しされ、使用時にスプリングロールから巻き出されるスクリーンと
を備え、
スプリングロールの端部に、巻き出されるスクリーンを所定位置に停止させるための停止手段が更に設けられており、および
停止手段が、側面視で、スプリングロールの端部に回転可能に接続されたギア部、およびギア部の外周に沿って複数配置された突起部間に形成された溝部に係止可能な係止部を備えている、天吊式スクリーン装置が提供される。
【０００８】
ある好適な態様では、ギア部の外周に沿って５０〜１００個の突起部が形成されている。
【０００９】
ある好適な態様では、天吊式スクリーン装置が溝部への係止部の係止を解除するためのハンドル部を更に備えている。
【００１０】
ある好適な態様では、天吊式スクリーン装置がスクリーンの端部に供されたエンドバーを受容するためのエンドバー受容部、および係止部と接触可能と成っている旋回部を更に備えており、
エンドバー受容部および旋回部が一体構造を成している。
【００１１】
ある好適な態様では、旋回部が撓み部を備え、撓み部がケーシングの側部に配置された側方プレートの主面に供された突出部と接触可能と成っている。
【発明の効果】
【００１２】
本発明の天吊式スクリーン装置によれば、プロジェクタからの映像を好適にスクリーンに投影可能である。
【図面の簡単な説明】
【００１３】
【図１】図１は、本発明の実施形態に係る天吊式スクリーン装置の概略全体図である。
【図２】図２は、ケーシングの側部の概略断面図である。
【図３】図３は、ケーシングの側部の概略側面図である。
【図４】図４は、係止部がギア部に係止している状態を示した概略側面図である。
【図５】図５は、係止部とギア部との係止が解除されている状態を示した概略側面図である。
【図６】図６は、ハンドル部の動作を示した概略側面図である。
【図７】図７は、エンドバー受容部と一体構造を成す旋回部の動作を示した概略側面図である。
【図８】図８は、エンドバー受容部と一体構造を成す旋回部の動作を示した概略側面図である。
【図９】図９は、スクリーン巻き出し開始前の状態を示した概略側面図である。
【図１０】図１０は、スクリーン巻き出し開始後の状態を示した概略側面図である。
【図１１】図１１は、所定箇所でスクリーンを停止させた際の状態を示した概略側面図である。
【図１２】図１２は、スクリーン巻き戻し開始時の状態を示した概略側面図である。
【図１３】図１３は、スクリーン巻き戻し中の状態を示した概略側面図である。
【図１４】図１４は、スクリーン巻き戻し完了時の状態を示した概略側面図である。
【発明を実施するための形態】
【００１４】
以下、本発明の一実施形態に係る天吊式スクリーン装置について図面を用いて説明する。
【００１５】
以下、本発明の一実施形態に係る天吊式スクリーン装置について具体的に説明する前に本明細書で用いる用語の定義づけを行っておく。本明細書でいう「天吊式スクリーン装置」とは、所定箇所に配置したケーシングから略鉛直下方方向にスクリーンを巻き出すパターンのスクリーン装置を指す。本明細書でいう「ケーシング」とは、スクリーンおよびスクリーンが巻回されるスプリングロールを収容するための収容部材を指す。本明細書でいう「スプリングロール」とは、スプリング部材（バネ）により付勢されたスクリーンを巻回自在とするロールであって、その一端と他端がケーシング内部に軸支されているものを指す。本明細書でいう「停止手段」とは、巻き出したスクリーンの所定位置での停止を実現するためのものを指す。本明細書でいう「ギア部」とは、外周の全体に沿って突起部が所定間隔で複数形成されたものであって、スプリングロールの回転に同伴して回転可能なものを指す。本明細書でいう「ギア部の突起部」とは、外周の全体に沿って所定間隔で形成された凸部形状および/又は歯形形状の部材を指す。本明細書でいう「ギア部の溝部」とは、ギア部の外周に沿って形成された相互に隣接する一方の突起部と他方の突起部との間に形成される凹部形状の空間領域を指す。本明細書でいう「係止」とは、係わりあって止まることを指す。本明細書でいう「係止部」とは、ギア部の溝部が形成する空間領域と略同一形状の先端部（爪部）を備えた部材を指す。
【００１６】
又、本明細書でいう「ハンドル部」とは、ギア部の溝部への係止部の係止を解除するためのものであって、係止部の突起部を押圧可能と成っているものを指す。つまり、本明細書でいう「ハンドル部」とは、広義には人の手で操作する取手部であって、狭義にはギア部の溝部に対する係止部の係止を解除するためのものを指す。つまり、本明細書でいう「ハンドル部」とは、係止解除部と称し得る。本明細書でいう「エンドバー」とは、スプリングロールに接続されるスクリーンの一方の側（上端部）とは反対側のスクリーンの他方の側（下端部）の長手部分に沿って一方向に延在する棒部材を指す。本明細書でいう「エンドバー受容部」とは、広義にはスクリーンのエンドバーを受容するためのものであって、狭義にはスクリーンのエンドバーの一方の端部を受容するためのものを指す。本明細書でいう「旋回部」とは、広義には旋回可能なものを指し、狭義には軸支部分を基点として時計回り又は反時計回りに回転可能なものを指し、より狭義には係止部を押圧するように又は係止部により押圧されるように軸支部分を基点として時計回り又は反時計回りに回転可能なものを指す。本明細書でいう「撓み部」とは、曲げ変形可能な可撓性を有するものを指す。本明細書でいう「ケーシングの側方プレート」とは、ケーシングの側部の開口領域を閉じる板部材を指す。本明細書でいう「ケーシングの側方プレートの突出部」とは、広義にはケーシングの側方プレートの外側主面に形成された凸部形状の部材を指し、狭義には旋回部の撓み部と接触可能な箇所に位置付けられた凸部形状の部材を指す。
【００１７】
＜天吊式スクリーン装置の構成＞
以下、本発明の一実施形態に係る天吊式スクリーン装置の全体的構成について説明する。
【００１８】
図１は、本発明の実施形態に係る天吊式スクリーン装置の概略全体図である。図２は、ケーシングの側部の概略断面図である。図３は、ケーシングの側部の概略側面図である。図４は、係止部がギア部に係止している状態を示した概略側面図である。図５は、係止部とギア部との係止が解除されている状態を示した概略側面図である。図６は、ハンドル部の動作を示した概略側面図である。図７は、エンドバー受容部と一体構造を成す旋回部の動作を示した概略側面図である。図８は、エンドバー受容部と一体構造を成す旋回部の動作を示した概略側面図である。
【００１９】
図１に示すように、本発明の一実施形態に係る天吊式スクリーン装置１００は、ケーシング１０内にて回転自在に設けられたスプリングロール２０と、スプリングロール２０に巻回可能なスクリーン３０とを備えている。当該スクリーン３０は、収納時にスプリングロール２０に巻き戻しされ、使用時にスプリングロール２０から巻き出されるように構成されている。本発明の一実施形態に係る天吊式スクリーン装置１００は、スプリングロール２０の端部２１に、巻き出されるスクリーン３０を所定位置に停止させるための停止手段４０を更に備えている。なお、図１に示すように、本発明の一実施形態に係る天吊式スクリーン装置１００は、スプリングロール２０の端部２１に軸支されたロータリー・ダンパー８０を更に備えていてよい。当該ロータリー・ダンパー８０は、スプリングロール２０の回転速度を減速させるためのものである。つまり、ロータリー・ダンパー８０は、スプリングロールの回転速度減速部材として機能する。
【００２０】
図２〜図５に示すように、停止手段４０は、ギア部４１および係止部４２を備えている。ギア部４１は、スプリングロール２０の端部２１に回転可能に接続されている。これにより、ギア部４１は、スプリングロール２０の端部２１との接続部分を基点としてスプリングロール２０の時計回り又は反時計回りの回転に同伴して、時計回り又は反時計回りに回転可能と成っている。ギア部４１は側面視で略円形形態を有しており、ギア部４１の外周に沿って複数の突起部４１Ｘが設けられている。相互に隣接する一方の突起部４１Ｘと他方の突起部４１Ｘとの間には溝部４１Ｙが形成されている。なお、ギア部４１が側面視で時計回りに回転移動する際には、溝部４１Ｙは、後述する係止部４２の先端部４２Ｚが当該溝部４１Ｙに入り込まない構造を採っている。
【００２１】
一方、係止部４２は、一端がケーシング１０の側部の蓋として機能する側方プレート１０Ｘに軸支され、他端４２Ｚがギア部４１に形成された溝部４１Ｙに係止可能と成っている。つまり、係止部４２は、当該軸支部分４２Ｘを基点として回転可能に成っている。なお、ギア部４１は、側面視で側方プレート１０Ｘの面領域内に収容可能な径寸法を有する。つまり、側方プレート１０Ｘの面領域の大きさに依存して、ギア部４１の径寸法が決定される。そのため、ギア部４１の外周に沿って設けられる突起部４１Ｘの数も側方プレート１０Ｘの面領域の大きさに実質的に依存する。従って、側方プレートの面領域の実用サイズを鑑み、突起部４１Ｘは、特に限定されるものではないがその外周に沿って５０〜１００個、好ましくは６０〜９０個、例えば８０個形成されていてよい。上記数値規定は一例にすぎず、突起部４１Ｘの数は１００個を上回ってもよく、例えば１２０個であってもよい。特に、本発明は、上述のようにギア部４１が側面視で略円形形態を有しているが故、その外周に沿って設けられる突起部４１Ｘの数を、従前の円筒カム機構を用いる態様と比べて相対的に相当程度増やすことが可能となる点で有利である。
【００２２】
又、係止部４２は、後述するハンドル部を動作させた際にハンドル部が係止部４２を押圧するための突出部４２Ｙを主面に有して成る。係止部４２の上方領域には、スプリング部材４４により付勢された被付勢部材４３が位置付けられている。当該被付勢部材４３は、係止部４２の軸支部分４２Ｘおよび突出部４２Ｙが延在可能な貫通領域４３Ｘ，４３Ｙを備えている。被付勢部材４３は、側方プレート１０Ｘに対向するように位置付けられた囲い部１０Ｙに接続されている。当該囲い部１０Ｙは、ギア部４１、係止部４２、被付勢部材４３等側面視で側方プレート１０Ｘの主面上に設けられる構成部材を囲むものである。係止部４２の突出部４２Ｙが被付勢部材４３の貫通領域を延在していることで、軸支部分４２Ｘを基点とする係止部４２の回転移動に伴い、係止部４２の突出部４２Ｙが貫通領域４３Ｙを形成する被付勢部材４３の壁を押圧し、それによって被付勢部材４３もギア部４１の溝部４１Ｙから離隔するように回転移動可能となる。上述のように、被付勢部材４３はスプリング部材４４により付勢されているため、ギア部４１の溝部４１Ｙからの被付勢部材４３の回転移動の程度を相対的に小さくすることが可能となる。そのため、これに起因して、被付勢部材４３の下方領域に位置する係止部４２が軸支部分４２Ｘを基点としてギア部４１の溝部４１Ｙから離隔するように回転する際に、係止部４２の突出部４２Ｙの移動が、回転移動の程度が相対的に小さい被付勢部材４３の貫通領域４３Ｙを形成する壁にて抑制され、それによってスプリング部材４４の長手軸よりも外側に係止部４２の先端部４２Ｚが相対的に大きく移動することを抑制することができる。
【００２３】
下記の動作説明の欄でも述べるが、上述の係止部４２の先端部４２Ｚ（爪部に相当）が溝部４１Ｙに係止すると、係止部４２によってギア部４１の回転停止が維持される。ギア部４１の回転停止が維持されると、ギア部４１の回転移動に同伴して回転移動するスプリングロール２０の回転停止が維持される。かかるスプリングロール２０の回転停止の維持により、巻き出されたスクリーン３０の所定箇所での停止を維持することが可能となる。特に、本発明の一実施形態では、ギア部４１が側面視で略円形形態を有しているが故、ギア４１の外周に沿って複数（例えば５０〜１００個）の突起部４１Ｘを供することが可能となる。そのため、ギア部４１の溝部４１Ｙの配置間隔を相対的に小さくすることができる。その結果、従前の円筒カム機構を用いる態様（摺動ボールが係止可能な領域の数：スプリングロールの径寸法を鑑みて通常最大約１０個前後）と比べて、係止部４２が所定箇所に形成された溝部４１Ｙに係止し、その後所定箇所とは別の箇所に形成された溝部４１Ｙに係止するまでの間隔を相対的に小さくすることができる。これにより、係止部４２が所定箇所に形成された溝部４１Ｙに係止することに起因してスクリーン３０が所定箇所に停止してから、係止部４２が所定箇所とは別の箇所に形成された溝部４１Ｙに係止することに起因してスクリーン３０が所定箇所とは異なる別の箇所に停止するまでのスクリーン３０の停止間隔を相対的に小さくすることができる。
【００２４】
従前の円筒カム機構を用いる態様では、摺動ボールが係止可能な領域の数が相対的に少ないことに起因して、スクリーンを略鉛直下方方向に所定箇所まで巻き出した際に、巻き出したスクリーンの局所部分が湾曲していたとしても、当該所定箇所から略鉛直下方方向に相対的に大きなスクリーンの更なる巻き出しによって、スクリーンに引張力を作用させる必要があると考えられる。これに対して、本発明の一実施形態では、スクリーン３０の停止間隔を相対的に小さくすることができることに起因して、スクリーン３０を略鉛直下方方向に所定箇所まで巻き出した際に、巻き出したスクリーン３０の局所部分が湾曲していたとしても、当該所定箇所から略鉛直下方方向に相対的に小さなスクリーン３０の更なる巻き出しによって、スクリーン３０に引張力を作用させることができる。そして、当該引張力を作用させることにより、スクリーン３０の局所部分の湾曲を好適に解消することができる。又、当該相対的に小さなスクリーンの更なる巻き出しは、スクリーン３０に対するプロジェクタからの映像の投影箇所の調整の手間を実質的に省けることにもつながる。以上の事からも、本発明は、相対的に小さなスクリーンの更なる巻き出しにより、プロジェクタから映像をスクリーン３０に全体として好適に投影することができる点で有利である。
【００２５】
又、図２、図３および図６に示すように、ケーシング１０の側方プレート１０Ｘには、ハンドル部７０が軸支されている。つまり、ハンドル部７０は、当該軸支部分７０Ｘを基点として回転可能と成っている。当該ハンドル部７０は、係止部４２の突出部４２Ｙを押圧可能な突出部７０Ｙを有して成る。これにより、軸支部分７０Ｘを基点としてハンドル部７０を回転させると、ハンドル部７０の突出部７０Ｙにより係止部４２の突出部４２Ｙを押圧することができる。かかる押圧により、所定箇所の溝部４１Ｙへの係止部４２の係止状態を解除することができる。なお、ハンドル部７０はスプリング部材７１により付勢されている。そのため、軸支部分７０Ｘを基点として係止部４２の突出部を押圧する方向とは反対の方向に、つまり初期位置にハンドル部を戻す付勢力を作用させることができる。
【００２６】
図３および図７に示すように、側方プレート１０Ｘの一方の主面には、係止部４２と接触可能と成っている旋回部５１が軸支されている。つまり、旋回部５１は、当該軸支部分５１Ｘを基点として回転可能に成っている。具体的には、旋回部５１は、当該軸支部分５１Ｘを基点として時計回り又は反時計回りに回転可能に成っている。又、旋回部５１は、側方プレート１０Ｘと囲い部１０Ｙ（具体的には、囲い部１０Ｙの主面に対して略垂直方向に延在する突部）との間に挟まれるように位置付けられている。側方プレート１０Ｘの他方の主面側には、スクリーン３０の下端部に供されたエンドバー６０を受容するためのエンドバー受容部５２が供されている。後述するが、旋回部５１とエンドバー受容部５２とは全体として一体構造を成している。
【００２７】
一例として、係止解除された係止部４２が軸支部分４２Ｘを基点として溝部４１Ｙから離隔するように回転移動する場合を例にとる。この場合、回転移動する係止部４２が旋回部５１を押圧する。かかる押圧により、旋回部５１は軸支部分５１Ｘを基点として時計回りに回転移動する（図７および図８参照）。旋回部５１が時計回りに回転移動すると、これに伴って旋回部５１と一体化されているエンドバー受容部５２も移動する。又、旋回部５１は、その主面に撓み部５１Ｙを有して成る。更に、旋回部５１の回転移動に伴い撓み部５１Ｙが通る経路に対向する側方プレート１０Ｘの主面には、旋回部５１の回転移動中に所定箇所で撓み部５１Ｙと接触可能な突出部１０Ｘ１が設けられている。そのため、旋回部５１が時計回りに回転移動すると、回転移動中に所定箇所で撓み部５１Ｙが側方プレート１０Ｘの突出部１０Ｘ１に接触し、それによって旋回部５１の時計回りの回転移動速度を意図的に緩めることができる。これにより、旋回部５１を押圧する係止部４２の回転移動速度も緩めることができる。従って、係止解除された係止部４２が軸支部分４２Ｘを基点として溝部４１Ｙから必要以上に離隔することを抑制することができる。
【００２８】
別例として、エンドバー６０がエンドバー受容部５２に受容される場合を例にとる。この場合、エンドバー６０を受容するエンドバー受容部５２は、当該エンドバー受容部５２と一体化された旋回部５１が回転可能に軸支されていることに起因して、エンドバー６０を受容する前と比べて略上方向に僅かに移動する。エンドバー受容部５２の移動に伴い、旋回部５１が軸支部分５１Ｘを基点として反時計回りに回転移動する（図７および図８参照）。旋回部５１が反時計回りに回転移動すると、旋回部５１は、係止解除されて溝部４１Ｙから離隔するように回転移動した係止部４２に接触した上で係止部４２を押圧可能となる。これにより、軸支部分４２Ｘを基点として係止部４２（具体的には係止部４２の先端部４２Ｚ）を溝部４１Ｙ側、すなわちギア４１側に近づくように回転移動させることができる。
【００２９】
＜天吊式スクリーン装置の動作＞
以下、本発明の一実施形態に係る天吊式スクリーン装置の動作について図面を用いて説明する。
【００３０】
図９は、スクリーン巻き出し開始前の状態を示した概略側面図である。図１０は、スクリーン巻き出し開始後の状態を示した概略側面図である。図１１は、所定箇所でスクリーンを停止させた際の状態を示した概略側面図である。図１２は、スクリーン巻き戻し開始時の状態を示した概略側面図である。図１３は、スクリーン巻き戻し中の状態を示した概略側面図である。図１４は、スクリーン巻き戻し完了時の状態を示した概略側面図である。
【００３１】
（スクリーン巻き出し開始前）
スクリーン巻き出し開始前においては、図９に示すようにスクリーンの下端部に供されたエンドバー６０は、エンドバー受容部５２により完全に受容されている状態となる。この状態では、エンドバー６０を完全受容するエンドバー受容部５２は、当該エンドバー受容部５２と一体化された旋回部５１が回転可能に軸支されていることに起因して、エンドバー６０を受容する前と比べて略上方向に僅かに移動した状態となっている。これに伴い、旋回部５１が軸支部分５１Ｘを基点として反時計回りに回転移動した状態となり、それに起因して、旋回部５１は、係止部４２に接触した上で係止部４２を押圧可能となっている。これにより、軸支部分４２Ｘを基点として係止部４２を溝部４１Ｙ側、すなわちギア部４１側に回転移動可能となっている。従って、係止部４２の先端部４２Ｚがギア部４１に形成された溝部４１Ｙ側に近接させることができる。以上の事からも、図９に示すようにスクリーン巻き出し開始前においては、係止部４２の先端部４２Ｚは溝部４１Ｙに対して近接した状態となっている。
【００３２】
（スクリーン巻き出し開始後）
次に、上記のスクリーン巻き出し開始前の状態から、図１０に示すようにスクリーン３０のエンドバー６０を持って鉛直下方方向にスクリーン３０の巻き出しを開始する。スクリーン３０の巻き出しを開始すると、当該巻き出しによりスプリングロールが側面視で時計回りに回転開始する。スプリングロールが時計回りに回転開始すると、スプリングロールの端部に位置付けられたギア部４１も図１０に示すように時計回りに回転開始する。ギア部４１が時計回りに回転する際、上述のように、溝部４１Ｙは係止部４２の先端部４２Ｚが当該溝部４１Ｙに入り込まない構造を採っているため、スクリーン３０を鉛直下方方向に連続的に巻き出すことが可能となる。
【００３３】
（スクリーンの所定箇所停止）
次に、スクリーン３０の所定箇所での巻き出し停止を開始する。かかる巻き出し停止開始に伴い、側面視でスプリングロールの時計回りの回転が停止する。スプリングロールの時計回りの回転が停止すると、図１１に示すようにスプリングロールの端部に位置付けられたギア部４１の時計回りの回転も停止する。ギア部４１の回転が停止すると、係止部４２の先端部４２Ｚがギア部４１の所定箇所の溝部４１Ｙに入り込み、それによって係止部４２の先端部４２Ｚがギア部４１の所定箇所の溝部４１Ｙに係止する。
【００３４】
係止部４２の先端部４２Ｚが溝部４１Ｙに係止すると、係止部４２によってギア部４１の時計回りの回転停止が維持される。ギア部４１の時計回りの回転停止が維持されると、ギア部４１の時計回りの回転移動に同伴して回転移動するスプリングロール２０の時計回りの回転停止が維持される。かかるスプリングロール２０の時計回りの回転停止の維持により、巻き出されたスクリーン３０の所定箇所での停止を維持することが可能となる。
【００３５】
ここで、所定箇所に停止維持させたスクリーン３０のエンドバー６０を持って鉛直下方方向に僅かに巻き出し、それによってギア部４１を時計回りに僅かに回転移動させると、ギア部４１が側面視で時計回りに回転移動する際には、係止部４２の先端部４２Ｚが溝部４１Ｙに入り込まない構造を採っていることに起因して、溝部４１Ｙに対する係止部４２の先端部４２Ｚの係止を解除することができる。特に、本発明の一実施形態では、ギア部４１が側面視で略円形形態を有しているが故、ギア４１の外周に沿って複数（例えば５０〜１００個）の突起部４１Ｘを供することが可能となる。そのため、ギア部４１の溝部４１Ｙの配置間隔を相対的に小さくすることができる。その結果、従前の円筒カム機構を用いる態様（摺動ボールが係止可能な領域の数：スプリングロールの径寸法を鑑みて通常最大約１０個前後）と比べて、係止部４２が所定箇所に形成された溝部４１Ｙに係止し、その後所定箇所とは別の箇所に形成された溝部４１Ｙに係止するまでの間隔を相対的に小さくすることができる。これにより、係止部４２が所定箇所に形成された溝部４１Ｙに係止することに起因してスクリーン３０が所定箇所に停止してから、係止部４２が所定箇所とは別の箇所に形成された溝部４１Ｙに係止することに起因してスクリーン３０が所定箇所とは異なる別の箇所に停止するまでのスクリーン３０の停止間隔を相対的に小さくすることができる。
【００３６】
これにより、スクリーン３０を略鉛直下方方向に所定箇所まで巻き出した際に、巻き出したスクリーン３０の局所部分が湾曲していたとしても、当該所定箇所から略鉛直下方方向に相対的に小さなスクリーン３０の更なる巻き出しによって、スクリーン３０に引張力を作用させることができる。つまり、本発明の一実施形態では、所定箇所から略鉛直下方方向に相対的に大きなスクリーン３０の更なる巻き出しをせずとも、スクリーン３０に引張力を作用させることが可能である。そして、当該引張力を作用させることにより、スクリーン３０の局所部分の湾曲を好適に解消することができる。又、当該相対的に小さなスクリーンの更なる巻き出しは、スクリーン３０に対するプロジェクタからの映像の投影箇所の調整の手間を実質的に省けることにもつながる。以上の事からも、本発明は、相対的に小さなスクリーンの更なる巻き出しにより、プロジェクタから映像をスクリーン３０に全体として好適に投影することができる点で有利である。
【００３７】
（スクリーン巻き戻し開始およびスクリーン巻き戻し中）
スクリーン３０の局所部分の湾曲を解消した上でプロジェクタからのスクリーン３０への好適な投影が終了した後は、スクリーン３０の巻き戻しを開始する。図１２に示すように、スクリーン３０の巻き戻し開始に際しては、ケーシング１０の側方プレート１０Ｘに
軸支されたハンドル部７０を用いる。具体的には。軸支部分７０Ｘを基点として回転可能に成っているハンドル部７０を用いる。当該ハンドル部７０は、上述のように係止部４２の突出部４２Ｙに押圧可能な突出部７０Ｙを有して成る。軸支部分７０Ｘを基点としてハンドル部７０を回転させると、ハンドル部７０の突出部７０Ｙが係止部４２の突出部４２Ｙに接触し、当該突出部４２Ｙを押圧する。かかる押圧により、所定箇所の溝部４１Ｙへの係止部４２の係止状態を解除することができる。当該係止が解除されると、ギア４１と接続するスプリングロールがスプリング部材により付勢されていることで、当該スプリングロールは側面視でスクリーンを巻き戻す方向、すなわち反時計回りに回転開始する。当該スプリングロールの反時計回りの回転により、スプリングロールに接続されたスクリーン３０の巻き戻しを開始することができる。
【００３８】
又、上述のように係止部４２の上方領域には、スプリング部材４４により付勢された被付勢部材４３が位置付けられており、当該被付勢部材４３は、係止部４２の軸支部分４２Ｘおよび突出部４２Ｙが延在可能な貫通領域４３Ｘ，４３Ｙを備えている。係止部４２の突出部４２Ｙが被付勢部材４３の貫通領域を延在しているため、軸支部分４２Ｘを基点とする係止部４２の回転移動に伴い、係止部４２の突出部４２Ｙが貫通領域４３Ｙを形成する被付勢部材４３の壁を押圧し、それによって被付勢部材４３もギア部４１の溝部４１Ｙから離隔するように回転移動可能となる。被付勢部材４３はスプリング部材４４により付勢されているため、ギア部４１の溝部４１Ｙからの被付勢部材４３の回転移動の程度を相対的に小さくすることが可能となる。
【００３９】
そのため、これに起因して、被付勢部材４３の下方領域に位置する係止部４２が軸支部分４２Ｘを基点としてギア部４１の溝部４１Ｙから離隔するように回転する際に、係止部４２の突出部４２Ｙの移動が、回転移動の程度が相対的に小さい被付勢部材４３の貫通領域４３Ｙを形成する壁にて抑制され、それによってスプリング部材４４の長手軸よりも外側に係止部４２の先端部４２Ｚが相対的に大きく移動することを抑制することができる。これにより、後述する軸支部分４２Ｘを基点として係止部４２を溝部４１Ｙ側への回転移動量および/または回転移動時間を相対的に小さくすることが可能となる。
【００４０】
なお、上述のようにハンドル部７０はスプリング部材７１により付勢されているため、軸支部分７０Ｘを基点として係止部４２の突出部４２Ｙを押圧する方向とは反対の方向に付勢力を作用させることができる。これにより、図１３に示すようにスクリーン３０を巻き戻し中に初期位置にハンドル部７０を戻すことができる。
【００４１】
又、図１２に示すようにハンドル部７０の押圧力により、係止部４２が軸支部分４２Ｘを基点として溝部４１Ｙから離隔するように回転移動すると、かかる係止部４２の回転移動により、係止部４２は、係止部４２に接触可能に近接配置された旋回部５１に接触した上で当該旋回部５１を押圧する。かかる押圧により、旋回部５１は軸支部分５１Ｘを基点として時計回りに回転移動する。旋回部５１が時計回りに回転移動すると、これに伴って旋回部５１と一体化されているエンドバー受容部５２も図１２に示す矢印方向に移動する。
【００４２】
上述のように、旋回部５１はその主面に撓み部５１Ｙを有して成る。又、旋回部５１の回転移動に伴い撓み部５１Ｙが通る経路に対向する側方プレート１０Ｘの主面には、旋回部５１の回転移動中に所定箇所で撓み部５１Ｙと接触可能な突出部１０Ｘ１が設けられている。そのため、旋回部５１が時計回りに回転移動している際、回転移動中に所定箇所で撓み部５１Ｙが側方プレート１０Ｘの突出部１０Ｘ１に接触し、それによって旋回部５１の時計回りの回転移動速度を意図的に緩めることができる。これにより、旋回部５１を押圧する係止部４２の回転移動速度も緩めることができる。従って、係止解除された係止部４２が軸支部分４２Ｘを基点として溝部４１Ｙから必要以上に離隔することを抑制することができる。
【００４３】
（スクリーン巻き戻し完了）
スクリーン３０の巻き戻し完了時においては、図１４に示すようにスクリーン３０の下端部に供されたエンドバー６０は、エンドバー受容部５２により完全に受容されている状態となる。この状態では、エンドバー６０を完全受容するエンドバー受容部５２は、当該エンドバー受容部５２と一体化された旋回部５１が回転可能に軸支されていることに起因して、エンドバー６０を受容する前と比べて略上方向に僅かに移動した状態となっている。これに伴い、旋回部５１が軸支部分５１Ｘを基点として反時計回りに回転移動した状態となり、それに起因して、旋回部５１は、係止部４２に接触した上で係止部４２を押圧可能となっている。これにより、軸支部分４２Ｘを基点として係止部４２を溝部４１Ｙ側、すなわちギア部４１側に回転移動可能となっている。従って、係止部４２の先端部４２Ｚがギア部４１に形成された溝部４１Ｙ側に近接させることができる。以上により、係止部４２の先端部４２Ｚが溝部４１Ｙに対して近接した状態である上記の巻き出し開始前の状態にすることができる（図９参照）。
【００４４】
以上、本発明の一実施形態に係る天吊式スクリーン装置について説明してきた。しかしながら、これに限定されることなく、特許請求の範囲に規定される範囲から逸脱することなく種々の変更が当業者によってなされると理解されよう。
【産業上の利用可能性】
【００４５】
本発明の一実施形態に係る天吊式スクリーン装置は、プロジェクタ、特に超短焦点プロジェクタを搭載するために利用可能である。
【符号の説明】
【００４６】
１０    ケーシング
１０Ｘ  ケーシングの側方プレート
１０Ｘ１  ケーシングの側方プレートの主面に供された突出部
１０Ｙ  囲い部（ケーシングの側方プレートに対向配置されたもの）
２０    スプリングロール
２１    スプリングロールの端部
３０    スクリーン
４０    停止手段
４１    ギア部
４１Ｘ  ギア部の突起部
４１Ｙ  ギア部の溝部
４２    係止部
４２Ｘ  係止部の軸支部分
４２Ｙ  係止部の突出部
４２Ｚ  係止部の先端部
４３    被付勢部材
４３Ｘ  被付勢部材の貫通領域
４３Ｙ  被付勢部材の貫通領域
４４    スプリング部材
５１    旋回部
５１Ｘ  旋回部の軸支部分
５１Ｙ  旋回部の撓み部
５２    エンドバー受容部
６０    スクリーンのエンドバー
７０    ハンドル部
７０Ｘ  ハンドル部の軸支部分
７０Ｙ  ハンドル部の突出部
７１    スプリング部材
８０    ロータリー・ダンパー
１００    天吊式スクリーン装置
【図１】
2018136424.tif 000003
【図２】
2018136424.tif 000004
【図３】
2018136424.tif 000005
【図４】
2018136424.tif 000006
【図５】
2018136424.tif 000007
【図６】
2018136424.tif 000008
【図７】
2018136424.tif 000009
【図８】
2018136424.tif 000010
【図９】
2018136424.tif 000011
【図１０】
2018136424.tif 000012
【図１１】
2018136424.tif 000013
【図１２】
2018136424.tif 000014
【図１３】
2018136424.tif 000015
【図１４】
2018136424.tif 000016